(57)【特許請求の範囲】
【請求項１】
乗員が着座するシートが設けられる車体と、
前記車体に設けられ、先端からの衝突入力により軸方向に沿って圧縮変形される前記車体の骨格部材と、
前記車体に設けられて衝突の際に押し込まれる部材において、前記骨格部材より下側の位置に設けられるスロープと、
衝突の際に前記部材とともに前記スロープが押し込まれることにより移動するリンク部材と、
前記骨格部材よりも衝突入力側にあり、衝突入力の際に前記骨格部材よりも先に圧潰するクラッシュボックスと、
を有し、
衝突の際に前記クラッシュボックスが圧潰することにより前記スロープが前記骨格部材に対して移動し、前記リンク部材が移動することにより前記骨格部材の衝撃入力側が反対側より上がるように傾けられる、
車両の衝撃緩和機構。
【請求項２】
前記スロープは、前記部材が押し込まれることにより前記骨格部材の軸方向に沿って移動し、
前記リンク部材は、前記スロープと前記骨格部材との間において上下方向に延在し、前記スロープが前記骨格部材の軸方向に沿って移動することにより上へ移動して前記骨格部材の先端側を押し上げる、
請求項１記載の車両の衝撃緩和機構。
【発明の詳細な説明】
【技術分野】
【０００１】
本発明は、たとえば自動車といった車両の衝撃緩和機構に関する。
【背景技術】
【０００２】
自動車といった車両では、衝突時に乗員を保護することが求められている。このため、たとえば自動車では、車体の乗員室から前へ水平方向に沿って延在するフロントサイドフレームといった骨格部材が用いられる（特許文献１、２）。フロントサイドフレームは、車両が前から衝突する際に、衝撃入力により圧縮変形し、これにより衝撃を吸収する。その結果、乗員室の変形を抑え、乗員室に乗車した乗員を保護することができる。
また、乗員室には、乗員が着座するシートとともに、シートベルト、エアバッグなどの乗員保護装置が用いられる（特許文献３）。衝突時にシートベルトはロックされ、エアバッグは展開され、これにより乗員が大きく前へ移動したり、乗員の上体が大きく前へ倒れたりすることを抑制できる。
これらの機構により、衝突時の乗員の安全性を高めている。
【先行技術文献】
【特許文献】
【０００３】
【特許文献１】特開２０１５−０４４５２３号公報
【特許文献２】特開２０１５−１４００２５号公報
【特許文献３】特開２００７−２０３９３０号公報
【発明の概要】
【発明が解決しようとする課題】
【０００４】
しかしながら、衝突時の乗員保護機能は、これで十分ということにはならない。
たとえば高い速度で車両が追突する場合、シートベルトなどが適切に作動したとしても、乗員には、上体を大きく前へ倒す力が作用する。前へ倒れる上体には、シートベルトが強く押し付けられることになる。
【０００５】
このように自動車といった車両では、衝突の際に乗員に作用する力を弱めて、乗員の保護レベルを更に改善することが求められている。
【課題を解決するための手段】
【０００６】
本発明に係る車両の衝撃緩和機構は、乗員が着座するシートが設けられる車体と、前記車体に設けられ、先端からの衝突入力により軸方向に沿って圧縮変形される前記車体の骨格部材と、前記車体に設けられて衝突の際に押し込まれる部材において、前記骨格部材より下側の位置に設けられるスロープと、衝突の際に前記部材とともに前記スロープが押し込まれることにより移動するリンク部材と、前記骨格部材よりも衝突入力側にあり、衝突入力の際に前記骨格部材よりも先に圧潰するクラッシュボックスと、を有し、衝突の際に前記クラッシュボックスが圧潰することにより前記スロープが前記骨格部材に対して移動し、前記リンク部材が移動することにより前記骨格部材の衝撃入力側が反対側より上がるように傾けられる。
【０００７】
好適には、前記スロープは、前記部材が押し込まれることにより前記骨格部材の軸方向に沿って移動し、前記リンク部材は、前記スロープと前記骨格部材との間において上下方向に延在し、前記スロープが前記骨格部材の軸方向に沿って移動することにより上へ移動して前記骨格部材の先端側を押し上げる、とよい。
【発明の効果】
【０００８】
本発明では、衝突の際にスロープが押し込まれ、リンク部材が移動し、骨格部材の衝撃入力側が反対側より上がるように傾き、車体が傾く。これにより、衝突の際に、シートに着座した乗員に対して衝突入力側の反対側へ若干倒す力を作用させることが可能になる。そして、衝突の際にシートに着座した乗員が衝突入力側の反対側へ若干倒れることにより、乗員に対して衝突入力側へ倒す力の一部を相殺できる。たとえば高い速度で車両が追突して乗員の上体に対して大きく前へ倒す力が作用したとしても、その一部を相殺して、前へ倒れる上体がシートベルトに対して強く押し付けられ難くできる。その結果、乗員の保護レベルを高めることができる。
特に、本発明では、シートのたとえば背もたれといった一部を倒すのではなく、車両全体を倒している。その結果、シート全体を傾けてシート上の着座状態が衝突前の状態から変化しないようにできる。また、シートに着座した乗員とシートベルトまたはエアバッグとの相対位置も変化しないので、これらの装置による保護性能を損なうこともない。その結果、車両を傾けなかった場合と同等の性能を得ることができる。
また、本発明では、骨格部材とは別に、骨格部材の下側のスロープおよびリンク部材が設けられている。よって、衝突面から骨格部材までの衝撃の伝達経路について変更や制限が発生することなく、衝突の際の衝撃そのものを利用して、車体の骨格部材を衝撃入力側が反対側より上がるように傾けることができる。その結果、骨格部材および車体を、衝撃入力側が反対側より上がるように傾けることができる。
【図面の簡単な説明】
【０００９】
【図１】図１は、本発明の実施形態が適用される自動車の模式的なの側面透視図である。
【図２】図２は、前室の車体構造の模式図である。
【図３】図３は、図２の車体が他の車体または構造体に追突する際の、車体変形の一例を示す説明図である（その１）。
【図４】図４は、図２の車体が他の車体または構造体に追突する際の、車体変形の一例を示す説明図である（その２）。
【図５】図５は、図３および図４の変形が生じる場合の車体の挙動を示す説明図である。
【発明を実施するための形態】
【００１０】
以下、本発明の実施形態を、図面に基づいて説明する。
【００１１】
図１は、本発明の実施形態が適用される自動車１の模式的なの側面透視図である。
自動車１は、車両の一例である。
【００１２】
図１の自動車１は、前室３、乗員室４、および後室５が画成された車体２を有する。車体２は、たとえばモノコック構造を有する。
モノコック構造の車体２では、前室３において、乗員室４の前壁であるトーボード１１から前へ向かって、一対のフロントサイドフレーム１２が略水平に伸在する。前後方向に延在するフロントサイドフレーム１２の前側の先端には、クラッシュボックス１３が連結される。一対のクラッシュボックス１３の前側の先端には、フロントバンパービーム１４が取り付けられる。フロントバンパービーム１４の前側には、車体２の前壁を構成するフロントバンパーフェイス１５が配置される。フロントバンパーフェイス１５は、フロントバンパービーム１４に対して取り付けられても、フロントバンパービーム１４と一体化して形成されてもよい。
また、後室５において、乗員室４の後壁から後へ向かって一対のリアサイドフレームが略水平に伸在する。リアサイドフレームの後端の先端には、リアクラッシュボックスが連結される。一対のリアクラッシュボックスの後側の先端には、リアバンパービームが取り付けられる。リアバンパービームの後側には、車体２の後壁を構成するリアバンパーフェイスが配置される。リアバンパーフェイスは、リアバンパービームに対して取り付けられても、リアバンパービームと一体化して形成されてもよい。
このような骨格構造を有する車体２では、たとえば車体２が他の車体１００に追突する場合、フロントバンパーフェイス１５が他の車体１００と接触する。そして、追突の衝撃荷重の入力の程度に応じて、フロントバンパービーム１４、一対のクラッシュボックス１３、一対のフロントサイドフレーム１２が、その順番で圧縮変形する。このように車体２の骨格部材が先端からの衝突荷重の入力により軸方向に沿って圧縮変形することにより、衝撃を吸収する。その結果、乗員室４に変形が及び難くなる。
【００１３】
また、乗員室４内では、シート２１に着座した乗員の前でシートベルト２２がロックされることにより、乗員が前へ移動し難くなるように支えられる。また、乗員の前で、エアバッグ２３が展開する。
これらの仕組みにより、車両は、乗員を保護する。
しかしながら、衝突時の乗員保護機能は、これで十分ということにはならない。
たとえば高い速度で車両が追突する場合、シートベルト２２などが適切に作動したとしても、乗員には、上体を大きく前へ倒す力が作用する。前へ倒れる上体には、シートベルト２２が強く押し付けられることになる。
このように自動車１といった車両では、衝突の際に乗員に作用する力を弱めて、乗員の保護レベルを更に改善することが求められている。
【００１４】
図２は、前室３の車体構造の模式図である。
図２には、フロントサイドフレーム１２、クラッシュボックス１３、フロントバンパービーム１４、フロントバンパーフェイス１５、が図示されている。
【００１５】
フロントサイドフレーム１２は、高剛性の金属鋼板を、四角形断面の中空の柱形状に成形したものである。フロントサイドフレーム１２は、車体２の前室３において、略水平方向に沿って延在する。
フロントサイドフレーム１２の前側の先端には、クラッシュボックス１３が連結される。フロントサイドフレーム１２とクラッシュボックス１３とは、たとえばねじ止めにより連結されてよい。
クラッシュボックス１３は、たとえば金属材料または樹脂材料からなる。クラッシュボックス１３は、フロントサイドフレーム１２より圧縮され易く形成されてよい。本実施形態のクラッシュボックス１３は、フロントサイドフレーム１２より上下に長くなるように、縦長の略立方体形状を有する。
クラッシュボックス１３の先端には、フロントバンパービーム１４が連結される。クラッシュボックス１３とフロントバンパービーム１４とは、たとえばねじ止めにより連結されてよい。
フロントバンパービーム１４は、たとえば樹脂材料からなる。フロントバンパービーム１４は、一対のクラッシュボックス１３と連結される一対の取付部３６と、車幅方向に延在して一対の取付部３６が両端近傍に設けられるビーム本体３７と、を有する。本実施形態において、取付部３６は、クラッシュボックス１３と同じ高さの略立方体形状を有する。
フロントバンパービーム１４の前側には、フロントバンパーフェイス１５が位置する。フロントバンパーフェイス１５は、車体２の前壁を構成する板状の樹脂部品である。
【００１６】
また、本実施形態では、追突の際に、車体２の前室３において前後方向に沿って延びる骨格構造を前上がりに傾斜させるための傾斜機構が設けられる。骨格構造が前上がりに傾斜することにより、車体２の衝撃入力側（前側）がその反対側（後側）より上がるように車体２が傾く。
【００１７】
具体的には、車体２の前壁を構成するフロントバンパーフェイス１５の下部には、スロープ部６１が設けられる。スロープ部６１は、車体２の後下方向へ向けて湾曲し、フロントバンパービーム１４の下まで伸在する。スロープ部６１は、フロントバンパービーム１４、クラッシュボックス１３およびフロントサイドフレーム１２の下側において、車体２の後下方向へ向けて延在する。なお、スロープ部６１は、金属板で形成されて、フロントバンパーフェイス１５の内面に取り付けられたものでもよい。
【００１８】
また、フロントバンパーフェイス１５のスロープ部６１とフロントサイドフレーム１２との間には、上下方向に沿って延在するリンク部材６２が設けられる。リンク部材６２は、たとえば金属板を四角筒形状に形成したものでよい。リンク部材６２は、たとえばフロントサイドフレーム１２の下面から下へ延在するようにフロントサイドフレーム１２に下面に取り付けられてよい。フロントサイドフレーム１２の下側で上下方向に沿って延びるリンク部材６２の下端は、後下へ向けて傾斜したスロープ部６１の上に位置する。リンク部材６２の下端部には、リンク部材６２の下端から下へ突出して滑車６３が設けられてよい。滑車６３は、スロープ部６１と接触し、前後方向に沿って回転可能に設けられてよい。
【００１９】
次に、このような傾斜機構を有する車体２についての追突の際の動作について説明する。
図３および図４は、図２の車体２が他の車体１００または構造体に追突する際の、車体変形の一例を示す説明図である。
【００２０】
図３（Ａ）に示すように、追突前の車体２では、フロントサイドフレーム１２、クラッシュボックス１３、およびフロントバンパービーム１４は、フロントバンパーフェイス１５の後側において水平方向に沿って一直線状に伸在する。また、フロントバンパーフェイス１５のスロープ部６１は、リンク部材６２の下端の滑車６３と接触または離間している。
【００２１】
次に、図３（Ｂ）に示すように、車両が構造体へ追突する。これにより、フロントバンパーフェイス１５の外面は構造体と高い圧力で接触する。また、フロントバンパービーム１４の先端もフロントバンパーフェイス１５の内面と高い圧力で接触する。これにより、少なくとも追突した直後のタイミングでは、フロントバンパーフェイス１５およびフロントバンパービーム１４は、構造体に対してずれないように位置決めされる。フロントバンパーフェイス１５およびフロントバンパービーム１４は、追突した状態の位置から、水平方向に沿って後方へ向かって延在するように、仮固定状態（仮に一体化した状態）になる。
【００２２】
次に、図３（Ｃ）に示すように、追突した車体２が更に前へ移動すると、最も座屈し易いフロントバンパービーム１４が軸方向（ここでは水平方向）に沿って圧縮変形する。その後、フロントバンパービーム１４とクラッシュボックス１３との間の圧力が高まる。クラッシュボックス１３は、水平方向に沿って後方へ向かって延在するように、仮固定状態（仮に一体化した状態）になる。
【００２３】
次に、図３（Ｄ）に示すように、追突した車体２が更に前へ移動すると、二番目に座屈し易いクラッシュボックス１３が軸方向（ここでは水平方向）に沿って圧縮変形する。その後、クラッシュボックス１３とフロントサイドフレーム１２との間の圧力が高まる。
【００２４】
次に、図４（Ａ）に示すように、追突した車体２が更に前へ移動すると、スロープ部６１がフロントバンパーフェイス１５とともに軸方向に沿って後へ押し込まれるように移動し、リンク部材６２がスロープ部６１により押し上げられるように上へ移動する。スロープ部６１が押し上げられることにより、フロントサイドフレーム１２の衝撃入力側である先端側も、後端側より上がるように前上がりに押し上げられる。
【００２５】
次に、図４（Ｂ）に示すように、追突した車体２が更に前へ移動すると、フロントサイドフレーム１２が軸方向に沿って圧縮変形する。
以上の一連の動作により、図２の車体２では、フロントバンパービーム１４、クラッシュボックス１３、およびフロントサイドフレーム１２の圧縮変形により、追突の衝撃（荷重）を吸収できる。その結果、乗員室４が変形し難くなる。
【００２６】
図５は、図３および図４の変形が生じる場合の車体２の挙動を示す説明図である。
図５（Ａ）は、衝突前の車体２がほぼ水平である通常状態である。
図５（Ｂ）は、衝突直後の車体２がほぼ水平である通常状態である。
図５（Ｃ）は、フロントサイドフレーム１２が変形し始めた後の車体２が前上がりに傾いた傾斜状態である。
【００２７】
このように追突の衝撃を利用してフロントサイドフレーム１２がその先端（衝撃入力側）が後端（反対側）に対して相対的に上がるように傾斜することにより、フロントサイドフレーム１２とともに車体２も前上がりに傾く。車体は、フロントサイドフレーム１２が圧縮変形するような強い衝突の場合、図５（Ｂ）の水平な通常状態から、図５（Ｃ）の前上がりに傾いた傾斜状態になる。
その結果、車体２に対して固定されているシート２１、およびシート２１に着座している乗員も前上がりに傾く。このように追突中に乗員室４およびシート２１の全体が前上がりに傾くことにより、シート２１に着座している乗員の上体には後へ倒れようとする力が作用する。また、実際に乗員の上体には後へ倒れる。それゆえ、本実施形態では、衝突中に、シート２１に着座した乗員に対して、衝突入力側の反対側へ若干倒す力を作用させることができる。そして、衝突の際にシート２１に着座した乗員が衝突入力側の反対側へ若干倒れることにより、乗員を衝突入力側へ倒そうとする力の一部を相殺できる。たとえば高い速度で車両が追突して乗員の上体に対して大きく前へ倒す力が作用したとしても、その一部を相殺して、前へ倒れる上体がシートベルト２２に対して強く押し付けられ難くなる。その結果、乗員の保護レベルを高めることができる。
【００２８】
以上のように、本実施形態では、衝突の際にスロープ部６１が押し込まれ、リンク部材６２が押し上げられて移動し、フロントサイドフレーム１２の衝撃入力側が反対側より上がるように傾き、車体２が傾く。これにより、衝突の際に、シート２１に着座した乗員に対して衝突入力側の反対側へ若干倒す力を作用させることが可能になる。そして、衝突の際にシート２１に着座した乗員が衝突入力側の反対側へ若干倒れることにより、乗員に対して衝突入力側へ倒す力の一部を相殺できる。たとえば高い速度で車両が追突して乗員の上体に対して大きく前へ倒す力が作用したとしても、その一部を相殺して、前へ倒れる上体がシートベルト２２に対して強く押し付けられ難くできる。その結果、乗員の保護レベルを高めることができる。
特に、本実施形態では、シート２１のたとえば背もたれといった一部を倒すのではなく、車両全体を倒している。その結果、シート２１全体を傾けてシート２１上の着座状態が衝突前の状態から変化しないようにできる。また、シート２１に着座した乗員とシートベルト２２またはエアバッグ２３との相対位置も変化しないので、これらの装置による保護性能を損なうこともない。その結果、車両を傾けなかった場合と同等の性能を得ることができる。
また、本実施形態では、フロントサイドフレーム１２とは別に、フロントサイドフレーム１２の下側に、スロープ部６１およびリンク部材６２が設けられている。よって、衝突面からフロントサイドフレーム１２までの衝撃の伝達経路について変更や制限が発生することがない。
【００２９】
また、本実施形態では、スロープ部６１は、衝突の際に押し込まれるフロントバンパーフェイス１５に設けられ、フロントバンパーフェイス１５ととともにフロントサイドフレーム１２の軸方向に沿って移動し、リンク部材６２が上へ移動し、フロントサイドフレーム１２の先端側を押し上げる。
以上の実施形態は、本発明の好適な実施形態の例であるが、本発明は、これに限定されるものではなく、発明の要旨を逸脱しない範囲において種々の変形または変更が可能である。
【００３０】
たとえば上記実施形態では、リンク部材６２がフロントバンパーフェイス１５のスロープ部６１とフロントサイドフレーム１２との間において上下方向に沿って設けられている。
リンク部材６２は、スロープ部６１が押し込まれることによりフロントサイドフレーム１２を押し上げることができればよく、スロープ部６１とフロントサイドフレーム１２との間に設けられていなくてもよい。リンク部材６２は、力を伝達する複数のリンク部材６２で構成されてもよい。また、スロープ部６１は、衝突の際の車体変形により相対的に押し込まれるものであればよく、フロントバンパーフェイス１５に設けられていなくてもよい。スロープ部６１は、たとえばフロントサイドフレーム１２の下側に位置するサブフレームに設けられてもよい。
【符号の説明】
【００３１】
１…自動車（車両）
２…車体
１１…トーボード
１２…フロントサイドフレーム（骨格部材）
１３…クラッシュボックス
１４…フロントバンパービーム
１５…フロントバンパーフェイス
２１…シート
２２…シートベルト
２３…エアバッグ
４１…接触面
６１…スロープ部（スロープ）
６２…リンク部材
６３…滑車
１００…他の車体
【図１】
0006713307.tif 000002
【図２】
0006713307.tif 000003
【図３】
0006713307.tif 000004
【図４】
0006713307.tif 000005
【図５】
0006713307.tif 000006